(57)【要約】      （修正有）【課題】植栽用の鉢内の土中温度の上昇を容易に抑制できる鉢用巻付シートを提供する。【解決手段】植栽用の鉢Ａの外周に巻きつけられる鉢用巻付シートＳであって、通気性と、遮光性を有する。シートは、ピンチ又はバンドで鉢に止められる。シートは、互いに隙間をあけて配置される複数の不織布と、不織布をつなぐメッシュ部とを有し、不織布は、通気性、遮光性、及び液不透過性を有する。【選択図】図１
0003223146.tif 000002
【実用新案登録請求の範囲】
【請求項１】
通気性と、遮光性を有し、
植栽用の鉢の外周に巻きつけられる
ことを特徴とする鉢用巻付シート。
【請求項２】
一続きのシート状で、ピンチ又はバンドで前記鉢に止められる
ことを特徴とする請求項１に記載の鉢用巻付シート。
【請求項３】
互いに隙間をあけて配置される複数の不織布と、
前記不織布をつなぐメッシュ部とを有して形成されており、
前記不織布は、通気性、遮光性、及び液不透過性を有する
ことを特徴とする請求項１又は２に記載の鉢用巻付シート。
【請求項４】
前記不織布は、幅寸法が均一で、等間隔に並んでいる
ことを特徴とする請求項３に記載の鉢用巻付シート。
【請求項５】
前記不織布の幅は、隣り合う前記不織布の間隔よりも広い
ことを特徴とする請求項４に記載の鉢用巻付シート。
【請求項６】
通気性、遮光性、及び液不透過性を有する不織布により形成されている
ことを特徴とする請求項１又は２に記載の鉢用巻付シート。
【請求項７】
前記メッシュ部は、ポリエチレン製である
ことを特徴とする請求項３から５の何れか一項に記載の鉢用巻付シート。
【請求項８】
前記不織布は、白色である
ことを特徴とする請求項３から７の何れか一項に記載の鉢用巻付シート。
【請求項９】
前記不織布は、ポリエチレン製である
ことを特徴とする請求項３から８の何れか一項に記載の鉢用巻付シート。
【請求項１０】
遮光率が８０％以上である
ことを特徴とする請求項１から９の何れか一項に記載の鉢用巻付シート。
【請求項１１】
白色又は銀色である
ことを特徴とする請求項１又は２に記載の鉢用巻付シート。
【考案の詳細な説明】
【技術分野】
【０００１】
本考案は、植栽用の鉢の外周に巻きつけて利用される鉢用巻付シートに関するものである。
【背景技術】
【０００２】
植物を移動させたり、植物を意識的に小さく育てたりしたい場合や、地植えできる場所の確保が難しい場合等には、鉢植えで植物を育成することが一般的に行われている。そして、鉢植えに利用される植栽用の鉢としては、様々な種類のものが提案されている（例えば、特許文献１）。
【先行技術文献】
【特許文献】
【０００３】
【特許文献１】実公平７−５０９１７号公報
【考案の概要】
【考案が解決しようとする課題】
【０００４】
しかし、特に、鉢植えの植物が屋外で育成される場合の夏場には、太陽光の照射や気温の上昇に伴い、鉢に充填された土の温度が上昇してしまう。そして、鉢内の土中温度が過度に上昇すると、植物の根を痛め、植物の生育に悪影響を及ぼす可能性がある。このため、従来、鉢内の土中温度の上昇を抑制するのを目的として、鉢を日陰に移動させる、又は、水を頻繁にかける等の対策がとられているが、その作業は煩雑である。
【０００５】
そこで、本考案は、植栽用の鉢内の土中温度の上昇を容易に抑制できる手段の提供を目的とする。
【課題を解決するための手段】
【０００６】
上記課題を解決するための手段は、植栽用の鉢の外周に巻きつけられる鉢用巻付シートが、通気性と、遮光性を有することである。当該構成によれば、太陽光が鉢に照射されることによる鉢の温度上昇を抑制できるとともに、鉢と鉢用巻付シートとの間に熱気がこもることがなく、鉢に充填される土の温度上昇を抑制できる。さらに、鉢内の土中温度の上昇を抑制するに当たり、鉢用巻付シートを鉢の外周に巻きつけるだけで済むので、鉢内の土中温度を抑制するにしても、その作業を容易にできる。
【０００７】
また、上記鉢用巻付シートは、一続きのシート状で、ピンチ又はバンドで鉢に止められていてもよい。このようにすると、複数のシートをつなぎ合わせる手間がなく、鉢への巻きつけ作業を一層容易にできる。さらに、ピンチ又はバンドを利用して鉢用巻付シートを鉢に止めることにより、鉢用巻付シートの鉢への着脱作業を容易にできるとともに、一旦鉢から取り外した鉢用巻付シートを再利用するのも容易である。
【０００８】
また、上記鉢用巻付シートが、互いに隙間をあけて配置される複数の不織布と、その不織布をつなぐメッシュ部とを有して形成されていて、不織布が通気性、遮光性、及び液不透過性を有するとしてもよい。このように、鉢用巻付シートが、遮光性に優れる不織布と、通気性に優れるメッシュ部を組み合わせて構成されることにより、鉢内の土中温度の上昇を一層抑制できる。
【０００９】
また、上記鉢用巻付シートの不織布は、幅寸法が均一で、等間隔に並んでいてもよい。このようにすると、鉢内の土中温度のバラツキを抑制できる。
【００１０】
また、上記鉢用巻付シートの不織布の幅は、隣り合う不織布の間隔より広くてもよい。このようにすると、鉢用巻付シートにおける不織布の占める面積が大きくなって、鉢内の土中温度の上昇を抑制する効果を高められる。
【００１１】
また、上記鉢用巻付シートが、通気性、遮光性、及び液不透過性を有する不織布により形成されていてもよく、このような場合にも、鉢内の土中温度の上昇を抑制できる。
【００１２】
また、上記鉢用巻付シートのメッシュ部又は不織布が、ポリエチレン製でもよい。このようにすると、鉢用巻付シートの耐候性を良好にできる。
【００１３】
また、上記鉢用巻付シートが白色又は銀色、或いは、不織布が白色でもよい。このようにすると、鉢用巻付シートの反射率を高め、太陽光の照射によって鉢用巻付シート自体が高温になるのを抑制できるので、このことからも鉢内の土中温度の上昇を一層抑制できる。
【００１４】
また、上記鉢用巻付シートの遮光率が８０％以上でもよい。このようにすると鉢内の土中温度の上昇を抑制する効果を高められる。
【考案の効果】
【００１５】
本考案の鉢用巻付シートによれば、植栽用の鉢内の土中温度の上昇を容易に抑制できる。
【図面の簡単な説明】
【００１６】
【図１】本考案の一実施の形態に係る鉢用巻付シートの取付状態を説明する説明図である。
【図２】本考案の一実施の形態に係る鉢用巻付シートの一部拡大図である。
【図３】植栽用の鉢に本考案の一実施の形態に係る鉢用巻付シートを装着した場合と、装着しない場合の鉢内の土中温度を比較したグラフである。
【考案を実施するための形態】
【００１７】
以下に本考案の実施の形態に係る鉢用巻付シートについて、図面を参照しながら説明する。いくつかの図面を通して付された同じ符号は、同じ部材（物）を示す。
【００１８】
図１に示すように、本考案の一実施の形態に係る鉢用巻付シートＳは、植物Ｐを育成している植栽用の鉢Ａの外周に巻きつけられて、ピンチＢで鉢Ａからずれ落ちないように止められる。鉢用巻付シートＳは、丸めたり、折りたたんだり、切断したりでき、様々な大きさ又は形状の鉢Ａに装着できる。さらに、鉢用巻付シートＳは、鉢Ａの材質を問わず装着可能である。例えば、鉢Ａは、合成樹脂製、木製、又は陶磁器でもよい。
【００１９】
図２には、本実施の形態の鉢用巻付シートＳの一部を拡大して示す。鉢用巻付シートＳは、隙間をあけて等間隔で配置される複数の帯状の不織布１と、隣り合う不織布１，１をつなぐメッシュ部２とを有して構成される。より具体的には、図２のように、不織布１が横方向に並ぶように鉢用巻付シートＳを見た状態で、不織布１を挟んで隣り合うメッシュ部２，２の横糸３は、細長い帯状で一続きとなっていて、不織布１がその横糸３に織り込まれ、貼り付けられることで、不織布１がメッシュ部２と一体化されて一枚の鉢用巻付シートＳを構成する。
【００２０】
不織布１は、白色で、ポリエチレン製であり、遮光性、通気性、液不透過性を有する。また、メッシュ部２は、略透明なポリエチレン製の縦糸４と横糸３により網目状に形成されていて、高い通気性を有する。このメッシュ部２の幅、即ち、隣り合う不織布１，１の間隔Ｗ２は、不織布１の幅Ｗ１の１／６程度であって、不織布１の幅Ｗ１よりも十分に短い。換言すると、本実施の形態の鉢用巻付シートＳでは、不織布１のある部分の面積がない部分の面積と比較して十分に大きい。
【００２１】
このように、鉢用巻付シートＳでは、遮光性を有する不織布１のある部分の面積が十分に大きいので、鉢用巻付シートＳが高い遮光性を有し、その遮光率は約９０％となっている。さらに、不織布１は白色であるので、鉢用巻付シートＳは高い反射率を有し、熱を吸収し難い。また、不織布１とメッシュ部２の両方が通気性を有し、且つ、隣り合う不織布１，１の間のメッシュ部２の通気性が高いので、鉢用巻付シートＳが高い通気性を有する。加えて、不織布１とメッシュ部２の両方がポリエチレン製であるので、鉢用巻付シートＳが高い耐候性を有する。
【００２２】
そして、上記鉢用巻付シートＳを巻きつけた「シート巻付有」の鉢と、鉢用巻付シートＳのない「シート巻付無」の鉢それぞれの、鉢内の土中温度を午前９時から午後９時まで３０分おきに同時に計測したところ、図３に示す計測結果が得られた。図３には、その計測結果が縦軸を鉢内の土中温度、横軸を時刻として折れ線グラフで示されており、そのグラフでは、「シート巻付有」の計測結果が実線Ｘ、「シート巻付無」の計測結果が破線Ｙで示されている。
【００２３】
なお、その計測を行った日の外気温は、最高気温が３２．０℃、最低気温が２１．５℃であった。また、計測に利用した鉢は、「シート巻付有」「シート巻付無」ともに、合成樹脂製の８号鉢である。
【００２４】
図３に示すグラフから分かるように、鉢用巻付シートＳを巻きつけなかった「シート巻付無」の鉢では、鉢内の土中温度が最高で約３５℃まで上昇するのに対し（破線Ｙ）、鉢用巻付シートＳを巻きつけた「シート巻付有」の鉢では、鉢内の土中温度が最高でも約３１℃であり、このことは、鉢用巻付シートＳを鉢にまきつけることによって鉢内の土中温度の上昇が抑制されることを示している。
【００２５】
以下、本実施の形態に係る鉢用巻付シートＳの作用効果について説明する。
【００２６】
本実施の形態に係る鉢用巻付シートＳは、植栽用の鉢Ａの外周に巻きつけて利用されるものであり、通気性と、遮光性を有する。このため、太陽光が鉢Ａに照射されることによる鉢Ａの温度上昇を抑制できるとともに、鉢Ａと鉢用巻付シートＳとの間に熱気がこもることがなく、鉢Ａに充填される土の温度上昇を抑制できる。さらに、鉢Ａ内の土中温度の上昇を抑制するに当たり、鉢用巻付シートＳを鉢Ａの外周に巻きつけるだけで済むので、鉢内の土中温度を抑制するにしても、その作業を容易にできる。
【００２７】
つまり、本実施の形態の鉢用巻付シートＳによれば、植栽用の鉢Ａ内の土中温度の上昇を容易に抑制できる。加えて、鉢用巻付シートＳは、シートであって、丸めたり、折りたたんだり、切断したりするのが容易であり、様々な種類の鉢Ａに適用できるのは勿論、収納も容易である。また、鉢用巻付シートＳを巻きつける鉢Ａで育成する植物Ｐの種類も問わないが、特に花木や果樹のような根が大きくなる植物は、土中温度の影響を受けやすいので、このような植物を鉢植えで育てる場合には、鉢用巻付シートＳの利用が好ましい。
【００２８】
また、本実施の形態の鉢用巻付シートＳは、一続きのシート状で、ピンチＢで鉢Ａに止められる。つまり、鉢用巻付シートＳは、一枚のシートであるので、複数のシートをつなぎ合わせる手間がなく、鉢Ａへの巻きつけ作業を一層容易にできる。さらに、ピンチＢを利用して鉢用巻付シートＳを鉢Ａに止めることにより、鉢用巻付シートＳの鉢Ａへの着脱作業を容易にできるとともに、一旦鉢Ａから取り外した鉢用巻付シートＳを再利用するのも容易である。なお、このような効果は、ピンチＢに替えてバンドを利用する場合にも期待できる。
【００２９】
さらに、ピンチＢ又はバンドは、農業用資材として様々な製品があり、そのような製品を利用することで、鉢用巻付シートＳが意図せず鉢Ａから外れるのを抑制できる。とはいえ、鉢用巻付シートＳを鉢Ａに止めるための部材はピンチ又はバンドに限らず、適宜変更できる。また、鉢Ａの大きさによっては、鉢用巻付シートを２枚以上利用してもよい。
【００３０】
また、本実施の形態の鉢用巻付シートＳは、互いに隙間をあけて配置される複数の不織布１と、不織布１をつなぐメッシュ部２とを有して形成されている。そして、不織布１が通気性、遮光性、及び液不透過性を有する。なお、メッシュ部２が通気性を有するのは勿論である。このように、鉢用巻付シートＳが、遮光性に優れる不織布１と、通気性に優れるメッシュ部２を組み合わせて構成されることにより、鉢Ａ内の土中温度の上昇を一層抑制できる。
【００３１】
また、本実施の形態の鉢用巻付シートＳでは、不織布１が白色である。このため、鉢用巻付シートＳにおける不織布１部分の反射率が高く、太陽光の照射によって鉢用巻付シートＳ自体が高温になるのを抑制できるので、このことからも本実施の形態の鉢用巻付シートＳによれば、鉢Ａ内の土中温度の上昇を一層抑制できる。
【００３２】
さらに、本実施の形態の不織布１は、幅Ｗ１寸法が均一で等間隔に並んでいる。このため、鉢Ａ内の土中温度のバラツキを抑制できる。加えて、本実施の形態の不織布１の幅Ｗ１は、隣り合う不織布１，１の間隔Ｗ２よりも広い。前述のように、不織布１は、遮光性と高反射率を有するので、鉢用巻付シートＳにおける不織布１の占める面積を大きくすることで、鉢Ａ内の土中温度の上昇を抑制する効果を高められる。
【００３３】
なお、不織布１は、それぞれが異なる幅、又は形状を有していてもよく、隣り合う不織布１，１の間隔Ｗ２も適宜変更できる。さらに、本実施の形態では、不織布１を挟んで隣り合うメッシュ部２，２の横糸３が一続きとなっていて、その横糸３に不織布１が保持されているが、不織布１とメッシュ部２とを一枚の鉢用巻付シートＳとして一体化するための構成も適宜変更できる。例えば、１枚のメッシュシートに不織布が互いに隙間をあけてランダムに貼り付けられていて、不織布の貼り付けられていない部分をメッシュ部としてもよい。
【００３４】
また、本実施の形態の不織布１とメッシュ部２は、ともにポリエチレン製である。このため、鉢用巻付シートＳの耐候性を良好にできる。しかし、不織布とメッシュ部の素材は、それぞれポリエチレン製に限られず、個別に自由に変更できる。
【００３５】
また、不織布１の色、又は鉢用巻付シートＳ全体としての色は、反射率の高い白色、銀色であることが好ましいが、これ以外でもよい。加えて、本実施の形態の不織布１のように、不織布自体が通気性、遮光性、及び液不透過性を有している場合には、必ずしもメッシュ部２を設けなくてもよい。つまり、鉢用巻付シートは、通気性、遮光性、及び液不透過性を有する不織布のみからなるとしてもよい。また、鉢用巻付シートは、必ずしも不織布を有していなくてもよい。
【００３６】
さらに、本実施の形態の鉢用巻付シートＳの遮光率は約９０％であるので、このことからも鉢Ａ内の土中温度の上昇を抑制する効果が高い。なお、鉢Ａ内の土中温度の上昇を抑制する上では、鉢用巻付シートＳの遮光率が８０％以上であることが好ましいが、これより低くてもよい。
【００３７】
以上、本考案の好ましい実施の形態を詳細に説明したが、実用新案登録請求の範囲から逸脱することなく改造、変形及び変更を行うことができることは理解すべきである。
【符号の説明】
【００３８】
Ａ・・・鉢、Ｂ・・・ピンチ、Ｓ・・・鉢用巻付シート、１・・・不織布、２・・・メッシュ部
【図１】
0003223146.tif 000003
【図２】
0003223146.tif 000004
【図３】
0003223146.tif 000005